(57)【要約】【課題】  利用者の服用履歴あるいは常用薬品に関する個人情報のプライバシーを守ることができ、また、常用薬品が変更された場合であっても登録内容の変更を利用者側で簡易かつ確実に行うことができる併用禁忌薬品検索システムおよび併用禁忌薬品検索方法を提供する。【解決手段】  端末装置１０１は、情報読出手段１０２により服用履歴記憶媒体１０３から利用者の薬品服用履歴情報を読み出し、サーバ１０６は、併用禁忌薬品情報検出手段により端末装置から受信した利用者の薬品服用履歴情報に基づいて併用禁忌の薬品情報を記憶する併用禁忌データベース１０５に併用禁忌に該当する薬品情報が存在するか否かを検索する。【選択図】  図１
2005157570.tif 000002
【特許請求の範囲】
【請求項１】
ネットワークを介してそれぞれが接続されるサーバと１以上の端末装置と、を含む併用禁忌薬品検索システムであって、
前記サーバは、併用禁忌の薬品情報を記憶する併用禁忌データベースと、
前記端末装置から受信した利用者の薬品服用履歴情報に基づいて前記併用禁忌データベースに併用禁忌に該当する薬品情報が存在するか否かを検索する併用禁忌薬品情報検出手段と、
を備え、
前記端末装置は、前記利用者の薬品服用履歴情報を記憶する服用履歴記憶媒体から前記薬品服用履歴情報を読み出す情報読出手段と、
前記情報読出手段により読み出した前記薬品服用履歴情報を前記サーバに送信する送信手段と、
を備えることを特徴とする併用禁忌薬品検索システム。
【請求項２】
前記サーバは、前記併用禁忌薬品情報検出手段により、前記端末装置から受信した前記薬品情報に基づいて前記併用禁忌データベースに併用禁忌に該当する薬品情報が存在するか否かを検索し、存在した場合に前記端末装置にその情報を送信する送信指令を送信実行手段に与え、
送信指令が与えられた利用者個人の併用禁忌薬品情報を前記端末装置に送信する前記送信実行手段を備え、
前記端末装置は、前記送信実行手段により送信された前記利用者個人の併用禁忌薬品情報を受信する受信手段と、
前記受信手段により受信した情報を表示する表示手段と、
をさらに備えることを特徴とする請求項１記載の併用禁忌薬品検索システム。
【請求項３】
前記端末装置の前記情報読出手段は、薬品を識別する薬品識別情報を記憶する識別情報記憶手段から前記薬品識別情報をさらに読み出すことを特徴とする請求項１または２記載の併用禁忌薬品検索システム。
【請求項４】
前記服用履歴記憶媒体および／または前記識別情報記憶手段は、非接触ＩＣチップであることを特徴とする請求項１から３のいずれか１項に記載の併用禁忌薬品検索システム。
【請求項５】
ネットワークを介してそれぞれが接続されるサーバと１以上の端末装置と、を利用した併用禁忌薬品検索方法であって、
前記併用禁忌薬品検索方法は、
前記サーバは、併用禁忌データベースに併用禁忌の薬品情報を記憶するステップと、
併用禁忌薬品情報検出手段により前記端末装置から受信した前記薬品情報に基づいて前記併用禁忌データベースに併用禁忌に該当する薬品情報が存在するか否かを検索するステップと、
を有し、
前記端末装置は、情報読出手段により利用者の薬品服用履歴情報を記憶する服用履歴記憶媒体から前記薬品服用履歴情報を読み出すステップと、
送信手段により前記情報読出手段により読み出した前記薬品服用履歴情報を前記サーバに送信するステップと、
を有することを特徴とする併用禁忌薬品検索方法。
【請求項６】
前記サーバは、前記検索するステップにおいて、前記併用禁忌薬品情報検出手段により前記端末装置から受信した前記薬品情報に基づいて前記併用禁忌データベースに併用禁忌に該当する薬品情報が存在するか否かを検索し、存在した場合には、送信実行手段に前記端末装置にその情報を送信する送信指令を与えるステップと、
前記送信実行手段により送信指令が与えられた利用者個人の併用禁忌薬品情報を前記端末装置に送信するステップとを有し、
前記端末装置は、受信手段により前記送信実行手段により送信された前記利用者個人の併用禁忌薬品情報を受信するステップと、
表示手段により前記受信手段で受信した情報を表示するステップと、
をさらに有することを特徴とする請求項５記載の併用禁忌薬品検索方法。
【請求項７】
前記端末装置は、前記読み出すステップにおいて、前記情報読出手段によりさらに薬品を識別する薬品識別情報を記憶する識別情報記憶手段から前記薬品識別情報を読み出すステップを有することを特徴とする請求項５または６記載の併用禁忌薬品検索方法。
【発明の詳細な説明】
【技術分野】
【０００１】
本発明は、利用者の服用履歴情報の管理化が図られた、薬品の商品名等の情報を記憶する非接触ＩＣタグを利用した併用禁忌薬品検索システムおよび併用禁忌薬品検索方法に関する。
【背景技術】
【０００２】
従来、薬品あるいはその包装に添付されているその薬品に関する説明等の文章は、製薬企業による公的情報であり、利用者が薬品間の相互作用に係る知識を得るために必要な利用価値の高い情報となっていたが、このような情報は民間企業により一般の利用者が利用可能なデータベースとして情報検索サービスの形態で提供されていた。そして、パーソナルコンピュータ等を利用した薬品における併用禁忌の検索システムにおいて、このデータベースを利用することにより、薬品名等の文字列をキーボードを用いて手入力して最新の相互作用データを検索することができるシステムが多く知られている。
【０００３】
ここで、サーバを利用した薬品名の表示に関して、サーバに処方箋の情報および患者の薬歴等が記憶され、薬品が販売される際に、予め薬品に貼付けられている無線タグの薬品の種類に応じて割当されている固有の無線コードを読み出して、端末装置上に薬品名を表示することにより、現に販売されようとしている薬品各々についての薬品名と、これら薬品の薬品間相互作用チェック効果とが表示されるようにした薬品販売システムに関する技術がある（例えば、特許文献１参照）。
【特許文献１】特開２００３−２３３６７３号公報
【発明の開示】
【発明が解決しようとする課題】
【０００４】
しかしながら、上述した従来における形態および従来例においては次のような問題点があった。
【０００５】
従来の薬品における併用禁忌の検索システムでは、一般の利用者は薬品名等の専門用語に関する知識が豊富でなく、また、その専門用語にも馴染みが少ない場合が多いため、薬品名等を入力する際に過大な労力あるいは時間を要していた。他方、製薬企業においては同一の作用をもたらす薬品については類似する薬品名を用いることが通例であるため、一般の利用者が混同しやすい類似名称が数多く存在し、手入力する際に誤入力が発生するという問題があった。
【０００６】
また、上記特許文献１に記載の従来例は、患者の薬歴等の情報が、サーバのデータベースに記憶されており、個人の薬歴等の個人情報をデータベースに登録する際に公開することが必要となり、またデータベースから個人情報が漏洩する危険もあった。さらに、利用者の常用薬品が変更された場合には、その都度データベースの変更登録を行う必要があり手続きが煩雑であり、システム利用者の作業負担を軽減することができないという問題点があった。
【０００７】
そこで、本発明は、ネットワークを介してそれぞれが接続されるサーバと１以上の端末装置とを含む併用禁忌薬品検索システムであって、サーバに、併用禁忌の薬品情報を記憶する併用禁忌データベースと、端末装置から受信した利用者の薬品服用履歴情報に基づいて併用禁忌データベースに併用禁忌に該当する薬品情報が存在するか否かを検索する併用禁忌薬品情報検出手段とを設け、端末装置に、利用者の薬品服用履歴情報を記憶する服用履歴記憶媒体から薬品服用履歴情報を読み出す情報読出手段と、情報読出手段により読み出した薬品服用履歴情報をサーバに送信する送信手段とを設けることにより、個人情報ファイルのデータベースへの登録および更新処理が不要となり利用者の服用履歴あるいは常用薬品に関する個人情報のプライバシーを守ることができ、また、常用薬品が変更された場合であっても登録内容の変更を利用者側で簡易かつ確実に行うことができる併用禁忌薬品検索システムおよび併用禁忌薬品検索方法を提供することを目的とする。
【課題を解決するための手段】
【０００８】
請求項１記載の発明は、ネットワークを介してそれぞれが接続されるサーバと１以上の端末装置と、を含む併用禁忌薬品検索システムであって、前記サーバは、併用禁忌の薬品情報を記憶する併用禁忌データベースと、前記端末装置から受信した利用者の薬品服用履歴情報に基づいて前記併用禁忌データベースに併用禁忌に該当する薬品情報が存在するか否かを検索する併用禁忌薬品情報検出手段と、を備え、前記端末装置は、前記利用者の薬品服用履歴情報を記憶する服用履歴記憶媒体から前記薬品服用履歴情報を読み出す情報読出手段と、前記情報読出手段により読み出した前記薬品服用履歴情報を前記サーバに送信する送信手段と、を備えることを特徴とする併用禁忌薬品検索システムである。
【０００９】
請求項２記載の発明は、請求項１記載の併用禁忌薬品検索システムにおいて、前記サーバは、前記併用禁忌薬品情報検出手段により、前記端末装置から受信した前記薬品情報に基づいて前記併用禁忌データベースに併用禁忌に該当する薬品情報が存在するか否かを検索し、存在した場合に前記端末装置にその情報を送信する送信指令を送信実行手段に与え、送信指令が与えられた利用者個人の併用禁忌薬品情報を前記端末装置に送信する前記送信実行手段を備え、前記端末装置は、前記送信実行手段により送信された前記利用者個人の併用禁忌薬品情報を受信する受信手段と、前記受信手段により受信した情報を表示する表示手段と、をさらに備える。
【００１０】
請求項３記載の発明は、請求項１または２記載の併用禁忌薬品検索システムにおいて、前記端末装置の前記情報読出手段は、薬品を識別する薬品識別情報を記憶する識別情報記憶手段から前記薬品識別情報をさらに読み出す。
【００１１】
請求項４記載の発明は、請求項１から３のいずれか１項に記載の併用禁忌薬品検索システムにおいて、前記服用履歴記憶媒体および／または前記識別情報記憶手段は、非接触ＩＣチップである。
【００１２】
請求項５記載の発明は、ネットワークを介してそれぞれが接続されるサーバと１以上の端末装置と、を利用した併用禁忌薬品検索方法であって、前記併用禁忌薬品検索方法は、前記サーバは、併用禁忌データベースに併用禁忌の薬品情報を記憶するステップと、併用禁忌薬品情報検出手段により前記端末装置から受信した前記薬品情報に基づいて前記併用禁忌データベースに併用禁忌に該当する薬品情報が存在するか否かを検索するステップと、を有し、前記端末装置は、情報読出手段により利用者の薬品服用履歴情報を記憶する服用履歴記憶媒体から前記薬品服用履歴情報を読み出すステップと、送信手段により前記情報読出手段により読み出した前記薬品服用履歴情報を前記サーバに送信するステップと、を有することを特徴とする併用禁忌薬品検索方法である。
【００１３】
請求項６記載の発明は、請求項５記載の併用禁忌薬品検索方法において、前記サーバは、前記検索するステップにおいて、前記併用禁忌薬品情報検出手段により前記端末装置から受信した前記薬品情報に基づいて前記併用禁忌データベースに併用禁忌に該当する薬品情報が存在するか否かを検索し、存在した場合には、送信実行手段に前記端末装置にその情報を送信する送信指令を与えるステップと、前記送信実行手段により送信指令が与えられた利用者個人の併用禁忌薬品情報を前記端末装置に送信するステップとを有し、前記端末装置は、受信手段により前記送信実行手段により送信された前記利用者個人の併用禁忌薬品情報を受信するステップと、表示手段により前記受信手段で受信した情報を表示するステップと、をさらに有する。
【００１４】
請求項７記載の発明は、請求項５または６記載の併用禁忌薬品検索方法において、前記端末装置は、前記読み出すステップにおいて、前記情報読出手段によりさらに薬品を識別する薬品識別情報を記憶する識別情報記憶手段から前記薬品識別情報を読み出すステップを有する。
【発明の効果】
【００１５】
本発明によれば、ネットワークを介してそれぞれが接続されるサーバと１以上の端末装置とを含む併用禁忌薬品検索システムであって、サーバは、併用禁忌の薬品情報を記憶する併用禁忌データベースと、端末装置から受信した利用者の薬品服用履歴情報に基づいて併用禁忌データベースに併用禁忌に該当する薬品情報が存在するか否かを検索する併用禁忌薬品情報検出手段とを備え、端末装置は、利用者の薬品服用履歴情報を記憶する服用履歴記憶媒体から薬品服用履歴情報を読み出す情報読出手段と、情報読出手段により読み出した薬品服用履歴情報をサーバに送信する送信手段とを備えることにより、個人情報ファイルのデータベースへの登録および更新処理が不要となり利用者の服用履歴あるいは常用薬品に関する個人情報のプライバシーを守ることができ、また、常用薬品が変更された場合であっても登録内容の変更を利用者側で簡易かつ確実に行うことができる。
【発明を実施するための最良の形態】
【００１６】
個人情報ファイルのデータベースへの登録および更新処理が不要となり利用者の服用履歴あるいは常用薬品に関する個人情報のプライバシーを守ることができ、また、常用薬品が変更された場合であっても登録内容の変更を利用者側で簡易かつ確実に行うことができる併用禁忌薬品検索システムを、サーバに、併用禁忌の薬品情報を記憶する併用禁忌データベースと、端末装置から受信した利用者の薬品服用履歴情報に基づいて併用禁忌データベースに併用禁忌に該当する薬品情報が存在するか否かを検索する併用禁忌薬品情報検出手段とを設け、端末装置に、利用者の薬品服用履歴情報を記憶する服用履歴記憶媒体から薬品服用履歴情報を読み出す情報読出手段と、情報読出手段により読み出した薬品服用履歴情報をサーバに送信する送信手段とを設けることにより実現した。
【実施例１】
【００１７】
本発明の第一の実施例の構成・動作を図を用いて説明する。
【００１８】
図１は、本実施形態における併用禁忌薬品検索システムの構成を示す図である。なお、図中の矢印は薬品情報が流れる方向を示すものである。図１を参照すると、本実施例は、情報読出手段１０２を備える端末装置１０１および併用禁忌データベース１０５を備えるサーバ１０６から構成されており、それぞれがネットワーク１０４を介して接続されている。ネットワークは有線でも無線であってもよく、例えば、インターネットまたはＷＡＮ（Wide Area Network ）等の任意のネットワークである。
【００１９】
端末装置１０１は、情報読出手段１０２を備える情報処理装置であり、例えば、パーソナルコンピュータ等である。利用者の自宅あるいは薬品が販売される小売店、薬局等に設置されてもよい。情報読出手段１０２は、服用履歴記憶媒体１０３から利用者の薬品服用履歴情報を読み出す機能を有している。例えば、非接触ＩＣチップに対応するアンテナ等を備えるリーダライタである。
【００２０】
ここで、服用履歴記憶媒体１０３とは、利用者の薬品の服用履歴、既往症またはアレルギー等に関する情報を記憶する記憶媒体をいい、例えば、非接触ＩＣチップであるＲＦＩＤ（Radio Frequency Identification）カードであってもよい。ＲＦＩＤカードは、ＩＣメモリ、通信回路からなるＣＭＯＳチップおよび超小型アンテナを備えており、ＩＣメモリに利用者の薬品の服用履歴、既往症またはアレルギー等に関する情報が保存されており、対応するリーダライタで読み書きされる際に、電波あるいは電磁波による非接触電力送信技術により無線を通じて電源を誘電させて通信を行う半永久的に利用可能なものである。電波あるいは電磁波が照射されるとアンテナ回路を経由してプロセッサに電源が投入され、メモリに格納されているデータを読み出し、その情報を空中に電波として放出する構造であってもよい。
【００２１】
サーバ１０６は、併用禁忌データベース１０５を備える情報処理装置である。製薬会社あるいはその他の民間情報提供サービス企業に設置されてもよい。
【００２２】
併用禁忌データベース１０５は、薬品名称、薬品コード、併用禁忌薬品名称、併用禁忌薬品コード、禁忌症または副作用等に関するデータを記憶している。サーバ１０６から予め入力されたデータであっても、外部のデータベースを利用したものであってもいずれでもよい。
【００２３】
図２は、本実施形態における併用禁忌薬品検索システムの全体構成を示すブロック図である。
【００２４】
服用履歴記憶部２０１には、利用者の薬品の服用履歴、既往症またはアレルギー等に関する情報が書き込まれている。
【００２５】
端末装置１０１側の情報読出手段２０２は、服用履歴記憶部２０１から利用者の薬品の服用履歴情報等を読み出す。
【００２６】
端末装置１０１側の制御部２０４は、情報読取手段２０２から服用履歴情報等を取得する。端末装置１０１側の通信部２０５は、ネットワーク２０６を介してサーバ１０６側の通信部２０７と服用履歴情報等の送受信を行う。
【００２７】
サーバ１０６側の制御部２０８は、通信部２０７から取得した服用履歴情報等に基づき併用禁忌データベース２０９に併用禁忌に該当する薬品情報が存在するか否かを検索する。
【００２８】
併用禁忌データベース２０９は、一の薬品に関する薬品名称および薬品コード、その一の薬品と併用禁忌である薬品に関する薬品名称および薬品コードについての情報を記憶する。
【００２９】
端末装置１０１側の表示部２０３は、端末装置１０１側の制御部２０４が取得した検索結果として抽出された利用者個人の併用禁忌薬品情報を表示する。
【００３０】
以上のように構成された実施形態における併用禁忌薬品検索システムの動作について図４のフローチャートに基づいて説明する。
【００３１】
まず、端末装置１０１に設けられた情報読出手段１０２は、薬品服用履歴記憶媒体１０３から利用者の薬品服用履歴情報を読み出す（ステップＡ１）。例えば、非接触ＩＣチップに対応するアンテナ等を備えるリーダライタから電波を送信することによりＩＣメモリから利用者の薬品服用履歴情報を記憶したデータを読み出す。
【００３２】
次に、端末装置１０１に設けられた情報読出手段１０２で読み出した薬品服用履歴情報を送信手段によりネットワーク１０４を介してサーバ１０６に送信する（ステップＡ２）。
【００３３】
サーバ１０６の受信部は、ネットワーク１０４を介して端末装置１０１の送信手段により送られる薬品服用履歴情報を受信する（ステップＡ３）。
【００３４】
そして、サーバ１０６の併用禁忌薬品情報検出手段は、端末装置１０１から受信した薬品服用履歴情報に基づいて併用禁忌データベースに併用禁忌に該当する薬品情報が存在するか否かを検索する（ステップＡ４）。
【００３５】
併用禁忌薬品情報の検索（ステップＡ５）は、薬品服用履歴情報に含まれる薬品コードに基づいて、一の薬品の薬品コードを薬品毎にその一の薬品と併用禁忌である薬品に関する薬品コードと対応付けた併用禁忌薬品テーブルを検索して、その薬品コードと一致する併用禁忌薬品テーブルにおける一の薬品の薬品コードに少なくとも１つのその一の薬品と併用禁忌である薬品に関する薬品コードが対応付けられている場合には、その一の薬品と併用禁忌である薬品に関する薬品コードを取得し、その一の薬品と併用禁忌である薬品に関する薬品コードに基づいて、薬品コードを薬品毎に薬品名称と対応付けた薬品テーブルを検索してその一の薬品と併用禁忌である薬品に関する薬品名称を取得することであってもよい。
【００３６】
併用禁忌薬品情報検出手段により、併用禁忌データベース１０５に併用禁忌に該当する薬品情報が存在するか否かを検索し、存在した場合には、端末装置１０１にその情報を送信するように送信指令を送信実行手段に与える。そして、サーバ１０６の送信実行手段は、送信指令が与えられた利用者個人の併用禁忌薬品情報をネットワーク１０４を介して端末装置１０１に送信する（ステップＡ６）。
【００３７】
端末装置１０１の受信手段は、サーバ１０６の送信実行手段により送信された利用者個人の併用禁忌薬品情報をネットワーク１０４を介して送信前記送信実行手段により送信された利用者個人の併用禁忌薬品情報を受信する（ステップＡ７）。
【００３８】
端末装置１０１の表示手段は、受信手段により受信した利用者個人の併用禁忌薬品情報を表示する（ステップＡ８）。例えば、端末装置１０１に接続されるディスプレイの画面に併用禁忌薬品の薬品名称が一覧表示されてもよい。
【００３９】
上記の実施形態においては、非接触ＩＣチップを利用することにより情報読出手段２０２で迅速かつ確実に個人の薬品服用履歴情報を読取ることができるため、併用禁忌薬品検索システムにおける薬品名あるいは薬品コード等の薬品情報の入力の簡略化が図られる。
【００４０】
また、非接触ＩＣチップを利用することにより情報読出手段２０２で確実に個人の薬品服用履歴情報を読取ることができるため、併用禁忌薬品検索システムにおける医薬品名あるいは医薬品コード等の薬品情報の誤入力の回避が図られる。
【実施例２】
【００４１】
本発明の第二の実施例の構成・動作を以下に説明する。本実施例においては第一の実施例における情報読出手段２０２は、情報の読み出しのみでなく服用履歴記憶部２０１に利用者の薬品の服用履歴情報等を書き込む機能を有している場合において第一の実施の形態と同様の併用禁忌薬品検索機能を実現するものである。
【００４２】
図３を参照すると、第一の実施の形態における構成のうち、端末装置１０１側の情報読出手段２０２が情報読書手段２１０と置き換わって構成されている。第一の実施の形態における構成と重複する構成要素には、同一の符号が付されており、その構成要素の説明は省略する。
【００４３】
端末装置１０１側の情報読書手段２１０は、服用履歴記憶部２０１から利用者の薬品の服用履歴情報等を読み出し、また端末装置１０１側の制御部２０５の指示に基づき服用履歴記憶部２０１に利用者の薬品の服用履歴情報等を新たに書き込み、さらに服用履歴記憶部２０１に記憶されている利用者の薬品の服用履歴情報等を更新する。
【００４４】
以上のように構成された実施形態における併用禁忌薬品検索システムの動作について図５のフローチャートに基づいて説明する。
【００４５】
まず、端末装置１０１に設けられた情報読書手段２１０は、端末装置１０１側の制御部２０５の指示に基づき服用履歴記憶部２０１に利用者の薬品の服用履歴情報等を新たに書き込む（ステップＢ１）。また、端末装置１０１に設けられた情報読書手段２１０は、端末装置１０１側の制御部２０５の指示に基づき服用履歴記憶部２０１に記憶されている利用者の薬品の服用履歴情報等を更新してもよい。
【００４６】
利用者の薬品服用履歴情報を読み出し、併用禁忌薬品情報を検索して、その結果の併用禁忌薬品情報を表示する(ステップＢ２〜Ｂ９)までの動作は第一の実施の形態と同様である。
【００４７】
以上のように、本実施例によれば、第一の実施の形態では、利用者が用いる端末装置１０１により、情報記憶媒体へ記憶させるデータの内容変更を行うことができなかったが、利用者の薬品の服用履歴情報を読み出す端末装置１０１と同一の情報処理装置によりデータの書き込みを行うことが可能となり、利用者の利便性が向上する。
【００４８】
また、利用者の常用薬品が変更された場合等であっても、非接触ＩＣチップ等の情報記憶媒体は利用者個人が保持しているため、その都度データベースへの登録あるいは変更を行う必要がなく利用者個人で情報記憶媒体へ記憶させるデータの内容の変更を利用者側で簡易かつ確実に行うことができる。
【実施例３】
【００４９】
本発明の第三の実施例の構成・動作を以下に説明する。本実施例においては端末装置１０１の情報読出手段２０２は、利用者の薬品服用履歴情報と併せて薬品を識別する薬品識別情報を記憶する識別情報記憶手段から薬品識別情報を読み出す場合において第一の実施の形態と同様の併用禁忌薬品検索機能を実現するものである。
【００５０】
第一の実施の形態における構成に、薬品を識別する薬品識別情報を記憶する識別情報記憶手段を加えて構成されている。薬品識別情報とは、例えば、薬品名称、薬品コード、錠剤等の形態種別、効能または副作用等の情報をいう。識別情報記憶手段とは、服用履歴記憶媒体１０３と同様に、非接触ＩＣチップであるＲＦＩＤカードであってもよく、薬品を包装する容器あるいは包装紙に貼り付けられてもよい。
【００５１】
まず、端末装置１０１に設けられた情報読出手段２０２は、服用履歴記憶媒体から利用者の薬品の服用履歴情報等を読み出すとともに、識別情報記憶手段から薬品を識別する薬品識別情報を読み出す。識別情報記憶手段は、複数の薬品についての薬品識別情報を記憶していてもよい。また、情報読出手段２０２は、複数の薬品についての複数の識別情報記憶手段から薬品を識別する薬品識別情報を同時に読み出してもよい。
【００５２】
併用禁忌薬品情報の抽出は、薬品服用履歴情報に含まれる薬品コードに基づいて、一の薬品の薬品コードを薬品毎にその一の薬品と併用禁忌である薬品に関する薬品コードと対応付けた併用禁忌薬品テーブルを検索して、その薬品コードと一致する併用禁忌薬品テーブルにおける一の薬品の薬品コードに少なくとも１つのその一の薬品と併用禁忌である薬品に関する薬品コードが対応付けられている場合には、その一の薬品と併用禁忌である薬品に関する薬品コードを取得し、その一の薬品と併用禁忌である薬品に関する薬品コードに基づいて、薬品コードを薬品毎に薬品名称と対応付けた薬品テーブルを検索してその一の薬品と併用禁忌である薬品に関する薬品名称を取得してもよく、また、薬品識別情報に含まれる薬品コードに基づいて、一の薬品の薬品コードを薬品毎にその一の薬品と併用禁忌である薬品に関する薬品コードと対応付けた併用禁忌薬品テーブルを検索して、その薬品コードと一致する併用禁忌薬品テーブルにおける一の薬品の薬品コードに少なくとも１つのその一の薬品と併用禁忌である薬品に関する薬品コードが対応付けられている場合には、その一の薬品と併用禁忌である薬品に関する薬品コードを取得し、その一の薬品と併用禁忌である薬品に関する薬品コードに基づいて、薬品コードを薬品毎に薬品名称と対応付けた薬品テーブルを検索してその一の薬品と併用禁忌である薬品に関する薬品名称を取得してもよい。
【００５３】
そして、読み出した服用履歴情報および薬品識別情報に基づいて、併用禁忌薬品情報を検索して、その結果の併用禁忌薬品情報を表示するまでの動作は第一の実施の形態と同様である。
【００５４】
以上のように、本実施例によれば、例えば、調剤薬局あるいはドラッグストア等で薬品を利用者に受渡すトレイにセンサ等の読取装置を設けることにより、薬品の受渡し時に、予め利用者が保有しているその利用者が常用している薬品情報との照合検索を行うことが可能となり、薬品情報の入力を意識することなく、薬品の受渡時に自動的に併用禁忌の警告メッセージを表示し、薬品の併用による副作用の発生等の弊害を未然に防止することができる。
【００５５】
なお、上述する実施の形態は、本発明の好適な実施の形態であり、本発明の要旨を逸脱しない範囲内において種々変更実施が可能である。
【産業上の利用可能性】
【００５６】
本発明は、食品における併用禁忌品検索システムにも適用できる。
【図面の簡単な説明】
【００５７】
【図１】本発明の実施形態におけるシステム構成を示す図である。
【図２】第一の実施形態におけるシステムの全体構成を示すブロック図である。
【図３】第二の実施形態におけるシステムの全体構成を示すブロック図である。
【図４】第一の実施形態における併用禁忌薬品を検索する処理手順を示すフローチャートである。
【図５】第一の実施形態における併用禁忌薬品を検索する処理手順を示すフローチャートである。
【符号の説明】
【００５８】
１０１    端末装置
１０２    情報読出手段
１０３    服用履歴記憶媒体
１０４    ネットワーク
１０５    併用禁忌データベース
１０６    サーバ
【図１】
2005157570.tif 000003
【図２】
2005157570.tif 000004
【図３】
2005157570.tif 000005
【図４】
2005157570.tif 000006
【図５】
2005157570.tif 000007